(57)【特許請求の範囲】
【請求項１】
映像データもしくは音声データに対応する情報パケット、当該情報パケットの制御情報に対応する制御情報パケット、および、前記情報パケットもしくは前記制御情報パケットの復号を行なう際に同期を確立するための同期信号パケットが時分割多重された入力信号に基づいて、前記制御情報を復号する復号装置であって、
前記同期信号パケットに基づいて、同期を確立する同期手段と、
該同期手段において同期が確立されるまでの間、前記制御情報パケットを蓄積して前記制御情報パケットの組立てを行い、前記同期が確立された後に、前記組立てた制御情報パケットを出力する制御情報蓄積手段と、
該制御情報蓄積手段から出力された前記組立てた制御情報パケットを復号する制御情報復号手段とを備える復号装置。
【請求項２】
映像データもしくは音声データに対応する情報パケット、当該情報パケットの制御情報に対応する制御情報パケット、および、前記情報パケットもしくは前記制御情報パケットの復号を行なう際に同期を確立するための同期信号パケットが時分割多重された第１のフレームを複数含んで構成されるスーパーフレームに対応する入力信号に基づいて、前記制御情報を復号する復号装置であって、
前記同期信号パケットに基づいて、同期を確立する同期手段と、
該同期手段において前記第１のフレームに対応する同期が確立された後に前記制御情報パケットを蓄積する制御情報蓄積手段と、
前記同期手段において前記スーパーフレームに対応する同期が確立された後に前記制御情報蓄積手段に蓄積された制御情報パケットを復号する制御情報復号手段とを備える復号装置。
【請求項３】
映像データもしくは音声データに対応する情報パケット、当該情報パケットの制御情報に対応する制御情報パケット、および、前記情報パケットもしくは前記制御情報パケットの復号を行なう際に同期を確立するための同期信号パケットが時分割多重された入力信号に基づいて、前記制御情報を復号する復号装置であって、
前記制御情報パケットを蓄積する制御情報蓄積手段と、
該制御情報蓄積手段に蓄積された前記制御情報パケットを復号して、復号処理の成否を検出する制御情報復号手段とを備え、
前記制御情報蓄積手段は、前記制御情報復号手段において前記復号処理が成功しなかった旨が検出された場合、入力された最新の前記制御情報パケットが、当該制御情報蓄積手段に蓄積された制御情報パケットにおいて先頭のパケットとなるように前記制御情報パケットを蓄積することを特徴とする復号装置。
【請求項４】
映像データもしくは音声データに対応する情報パケット、当該情報パケットの制御情報に対応する制御情報パケット、および、前記情報パケットもしくは前記制御情報パケットの復号を行なう際に同期を確立するための同期信号パケットが時分割多重された入力信号に基づいて、前記制御情報を復号する復号装置であって、
前記制御情報パケットを蓄積する制御情報蓄積手段と、
該制御情報蓄積手段に蓄積された前記制御情報パケットを復号して、復号処理の成否を検出する制御情報復号手段とを備え、
前記制御情報蓄積手段は、前記制御情報復号手段において前記復号処理が成功しなかった旨が検出された場合、最新の前記制御情報パケットを、当該制御情報蓄積手段に蓄積された制御情報パケットにおける先頭位置から後方へと順次シフトし、
前記制御情報復号手段は、前記シフトの度に前記復号および前記検出を行なうように構成されてなる復号装置。
【請求項５】
前記制御情報復号手段において、前記復号処理が成功した旨が検出された場合に、前記同期信号パケットに基づいて、同期を確立する同期手段を更に備える請求項３または４に記載の復号装置。
【請求項６】
前記制御情報蓄積手段は、
前記制御情報を構成する前記制御情報パケット全てを格納可能なメモリを、前記制御情報を構成する前記制御情報パケットの全数個分有し、
入力された前記制御情報パケットの書き込みを、前記メモリ毎に異なるアドレスポインタで行なうことによって、前記制御情報に対応する複数種類のパケット列を組み立て可能に構成されてなる請求項１ないし５のいずれかに記載の復号装置。
【請求項７】
前記制御情報蓄積手段は、
前記制御情報を構成する前記制御情報パケット全てを格納可能なメモリを有し、
当該制御情報蓄積手段に蓄積された前記制御情報パケットの読み出し時におけるアドレスポインタを変更することによって、前記制御情報に対応する複数種類のパケット列を組み立て可能に構成されてなる請求項１ないし５のいずれかに記載の復号装置。
【請求項８】
請求項１ないし７のいずれかに記載の復号装置を備える受信装置。
【請求項９】
映像データもしくは音声データに対応する情報パケット、当該情報パケットの制御情報に対応する制御情報パケット、および、前記情報パケットもしくは前記制御情報パケットの復号を行なう際に同期を確立するための同期信号パケットが時分割多重された入力信号に基づいて、前記制御情報を復号する復号方法であって、
前記制御情報パケットを蓄積する制御情報蓄積ステップと、
該制御情報蓄積ステップに蓄積された前記制御情報パケットを復号して、復号処理の成否を検出する制御情報復号ステップとを含み、
前記制御情報蓄積ステップにおいて、前記制御情報復号ステップにおいて前記復号処理が成功しなかった旨が検出された場合、入力された最新の前記制御情報パケットが、当該制御情報蓄積ステップにおいて蓄積された制御情報パケットにおいて先頭のパケットとなるように前記制御情報パケットを蓄積することを特徴とする復号方法。
【請求項１０】
映像データもしくは音声データに対応する情報パケット、当該情報パケットの制御情報に対応する制御情報パケット、および、前記情報パケットもしくは前記制御情報パケットの復号を行なう際に同期を確立するための同期信号パケットが時分割多重された入力信号に基づいて、前記制御情報を復号する復号方法であって、
前記制御情報パケットを蓄積手段に蓄積する制御情報蓄積ステップと、
前記蓄積手段に蓄積された前記制御情報パケットを復号して、復号処理の成否を検出する制御情報復号ステップとを含み、
前記制御情報蓄積ステップにおいて、前記制御情報復号ステップにおいて前記復号処理が成功しなかった旨が検出された場合、最新の前記制御情報パケットを、前記蓄積手段に蓄積された制御情報パケットにおける先頭位置から後方へと順次シフトし、
前記制御情報復号ステップにおいて、前記シフトの度に前記復号および前記検出を行なうことを特徴とする復号方法。
【請求項１１】
前記制御情報復号ステップにおいて、前記復号処理が成功した旨が検出された場合に、前記同期信号パケットに基づいて、同期を確立する同期ステップを更に含む請求項９または１０に記載の復号方法。
【発明の詳細な説明】
【０００１】
【発明の属する技術分野】
この発明は、１つの受信周波数内に複数の映像・音声等のディジタルデータ（以下、「ディジタル情報信号」という）と、各ディジタル情報信号およびその変調方式等の情報を伝送するためのＴＭＣＣとが多重送信される放送を受信するディジタル放送受信方法およびその方法を用いたディジタル放送受信端末装置に関するものである。
【０００２】
【従来の技術】
例えば、日本ＢＳディジタルの伝送符号化方式（電気通信技術審議会、郵政省による）においては、それぞれのＢＳチャネルは複数のＭＰＥＧ−ＴＳを扱うことができ、またＴＳごとに変調方式の切り替えが可能であり、各変調方式の組み合わせや各ＴＳで送られてくる情報量などを柔軟に変更できるようにするため、複数のディジタル情報信号を一定の間隔単位で処理できるフレーム構造を用い、フレームにＴＭＣＣ情報を時分割多重している。
【０００３】
受信端末装置では、送信されたフレームの同期信号からフレーム同期を確立し、フレームに時分割多重されたディジタル情報信号とＴＭＣＣを分離し、ＴＭＣＣ情報を復調してこの情報に基づきディジタル情報信号である各ＴＳ信号の復調・復号を行い、視聴者が希望するＴＳを選択してサービスデコードを行っている。
【０００４】
図１７は例えば、映像情報メディア学会誌（Ｖｏｌ．５２  Ｎｏ．１１  １９９８  Ｐ．１５５７）に示されたＢＳディジタル放送におけるフレーム信号処理の構成を示す図である。図において、１００は同期バイトを除くＭＰＥＧ−ＴＳデータ、１０１は誤り訂正用パリティデータであり、１０２はＴＳデータとパリティデータで構成されるスロットである。１０３はフレーム同期信号、１０４はＴＭＣＣ情報、１０５は後同期信号、１０６〜１１３はフレーム１〜８であり、１１４はスーパーフレームである。
【０００５】
図１８は上記ＢＳディジタル放送の受信端末装置における電源投入時から各ディジタル情報信号およびその変調方式等の情報を伝送するための伝送方式制御信号（以下、「ＴＭＣＣ」（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）という）であるＴＭＣＣ情報を復号するまでのフローチャートである。
【０００６】
次に動作について説明する。ＢＳディジタル放送方式の特徴である変調方式の切り替えや複数ＴＳの伝送等を柔軟に行うためには、扱う情報ビットストリームを一定の長さに区切る必要がある。図１７におけるＢＳディジタル方式においては、スロット１０２、フレーム１０６およびスーパーフレーム１１４の３周期で信号処理を行っている。フレーム１０６は４８個のスロット１０２で構成され、スーパーフレーム１０６は８個のフレームから構成される。各スロット１０２の先頭バイトはＭＰＥＧ−ＴＳの同期バイトが固定値（４７Ｈｅｘ）であるため、伝送路符号化ではこの部分をユニークワードであるフレーム同期信号１０３、後同期信号１０５，ＴＭＣＣ情報１０４に置き換え、これらの４８バイトデータを各フレームの先頭にまとめて送出する。その後、先頭バイトを除くフレーム内の２０３×４８バイトのスロット信号を順次送出する。ＴＭＣＣ情報１０４は１フレーム１０６あたり８バイトずつ、その前後にそれぞれ２バイトのフレーム同期信号１０３、１０５が付加される。１スーパーフレーム１１４につき、８×８＝６４バイトのＴＭＣＣ情報１０４が送出され、この内１６バイトは誤り訂正用のパリティバイトであり、残りの４８バイトがＴＭＣＣの情報量となる。
【０００７】
ＴＭＣＣ情報１０４は、複数ＴＳにおけるスロット制御や変調方式に関する制御情報を伝送する信号であり、受信端末装置において電源投入時や選局時には必ず捕捉して伝送信号全体の制御情報を解読しなければならない信号であり、受信中は常時監視する必要のある信号である。ＴＭＣＣ情報１０４によって伝送される制御情報は、上記ＴＭＣＣ情報１０４が伝送される際に多重されていたスーパーフレーム１１４の次の次に伝送されるスーパーフレームに多重されているＴＳの伝送制御に関するものである。
【０００８】
次に、ＢＳディジタル放送の受信端末装置におけるＴＭＣＣ情報受信の手順を図１８によって説明する。受信端末装置では、まず受信データ列の中からフレーム同期信号１０３，１０５を検出し（ｆ１００）、検出フレーム同期信号１０３，１０５によってフレーム同期を確立する（ｆ１０１）。さらに、フレーム同期信号１０３，１０５の値によってスーパーフレームの先頭を検出し（ｆ１０２）、スーパーフレーム同期を確立する（ｆ１０３）。この後、フレーム同期信号１０３に続く８バイトのＴＭＣＣ情報１０４を分離し（ｆ１０４）、スーパーフレーム１１４ごとに６４バイトのＴＭＣＣパケットを組立てる（ｆ１０５）。ＴＭＣＣパケットはＴＭＣＣ復号器により４８バイトのＴＭＣＣが復号される（ｆ１０６）。復号ＴＭＣＣに基づき、スーパーフレーム１１４内のスロット制御、変調方式に関する制御を行い（ｆ１０７）、伝送される複数ＴＳの中からユーザの希望するＴＳを選択してサービスデコードを行う。
【０００９】
【発明が解決しようとする課題】
ＢＳディジタル放送方式においては、ＴＭＣＣ情報１０４がスーパーフレーム１１４内に時分割多重されており、このため受信端末装置においてスーパーフレーム１１４ごとのＴＭＣＣパケットを組立てるためには、まずスーパーフレーム同期を確立する必要がある。
【００１０】
ＢＳディジタル放送の受信端末装置においてスーパーフレーム同期を確立するには、フレーム同期信号１０３を検出してフレーム同期を確立し、その後にフレーム同期信号１０３の内容によってスーパーフレーム同期を確立しなければならない。同期の確立は通常、同期信号を数回連続検出したことによって行われ、一度のみの同期信号検出で同期を確立することはない。このため、フレーム同期確立およびスーパーフレーム同期の確立には、最低でも２スーパーフレーム時間が必要となる。
【００１１】
スーパーフレーム同期の確立により、伝送フレームに多重されるＴＭＣＣ情報１０４の多重タイミングが明らかになり、上記ＴＭＣＣパケットの組立てが可能となる。このＴＭＣＣ情報１０４は、このＴＭＣＣ情報１０４が多重されているスーパーフレーム１１４の次の次に伝送されるスーパーフレームに多重されているディジタル情報信号の伝送制御に関する情報であるので、ディジタル情報信号に対する伝送制御が開始されるのはスーパーフレーム同期確立よりさらに２スーパーフレーム後となる。
【００１２】
以上説明したように、ＢＳディジタル放送受信端末装置は、電源投入時または選局時の直後、復調処理がロックした後、伝送制御が開始されるまでには最低４スーパーフレーム時間が必要となる。ＢＳディジタル放送方式における１スーパーフレーム時間は約１０ｍｓｅｃ程度であり、電源投入および選局時の直後、１ｓｅｃ程度の伝送制御を行うことができない待ち時間が発生し、伝送制御が行われない期間は、伝送される複数ＴＳの中からユーザの希望するＴＳを選択することができず、受像機に映像が出力されるまでに時間がかかるという問題点がある。
【００１３】
さらに、ＢＳディジタル放送方式は複数の変調方式の切り替えが可能であり、受信端末装置の復調部はＴＭＣＣ情報により各受信スロット１０２の復調方式を制御するが、ＴＭＣＣ情報による伝送制御が開始されるまでの期間は一定の変調方式で変調されたＴＭＣＣ情報と同じ方式によってのみ受信信号を復調し、この期間は全ての受信スロット１０２を同一方式によって復調する。各スロット１０２はＴＭＣＣ変調方式とは異なる方式で変調されている場合が多く、受信信号を異なる変調方式によって復調する期間が長くなると受信端末装置復調部の動作が不安定に陥り、一旦確立されたフレーム同期がはずれる可能性があり、いつまでたっても正常な伝送制御がかからないという問題が発生する。
【００１４】
この発明は上記のような課題を解決するためになされたもので、１つの受信周波数内に複数のディジタル情報信号と、各ディジタル情報信号およびその変調方式等の情報を伝送するためのＴＭＣＣ情報とが多重送信されるディジタル放送システムにおいて、ＴＭＣＣ情報による伝送制御開始までの時間を短縮するディジタル放送受信方法およびこの受信方法を用いたディジタル放送受信端末装置を得ることを目的とする。
【００１５】
【課題を解決するための手段】
この発明に係るディジタル放送受信方法は、１つの受信周波数内に複数の映像・音声などのディジタル情報信号パケットと、各ディジタル情報信号およびその変調方式等の情報を伝送するための伝送多重方式制御信号（ＴＭＣＣ）パケットを複数に分割した分割ＴＭＣＣパケットとを伝送フレームに多重して変調し伝送するディジタル放送方式の放送を受信して復調した信号から受信伝送フレームの同期を確立するフレーム同期手段と、上記受信伝送フレームに多重されたディジタル情報信号パケットと分割ＴＭＣＣパケットを分離したのちに分離された分割ＴＭＣＣパケットからＴＭＣＣパケットを組立てるＴＭＣＣ組立て手段と、上記組立てられたＴＭＣＣパケットを復号するＴＭＣＣ復号手段と、上記復号したＴＭＣＣパケットデータにより受信したディジタル情報信号パケットの変調方式等の伝送制御を行う伝送制御手段とを備えたディジタル放送受信端末装置において、電源投入時または選局時等の直後のフレーム同期未確立期間に、ディジタル情報信号パケットと分割ＴＭＣＣパケットの分離、ＴＭＣＣパケットの組立ておよび復号を行い、フレーム同期が確立した後に受信ディジタル情報信号に対する伝送制御を開始させるようにしたものである。
上記構成によれば、フレーム同期が確立する前にＴＭＣＣパケットの組立て、フレーム同期が確立した後にＴＭＣＣパケットの復号を行って伝送制御を開始するので、電源投入時や選局時等の伝送制御がかからない時間を短縮することができ、復調手段による復調処理を早期に安定化させ、フレーム同期はずれ等の誤動作を防止することができ、またシステムが短時間で安定化し、出力情報信号を映像装置等に送出開始するまでの時間が短くなる。
【００１６】
また、フレーム同期の未確立期間に、ディジタル情報信号パケットと分割ＴＭＣＣパケットの分離およびＴＭＣＣパケットの組立てと復号を行い、ＴＭＣＣパケットの復号が正しく行われた後に受信ディジタル情報信号に対する伝送制御を開始させるようにしたものである。
上記構成によれば、電源投入時や選局時等の伝送制御がかからない時間を短縮し、復調手段による復調処理が早期に安定化しフレーム同期はずれ等の誤動作を防止することができ、またシステムが短時間で安定化し、出力情報信号を映像装置等に送出開始するまでの時間が短くなる。
【００１７】
また、フレーム同期の未確立期間に、ディジタル情報信号パケットと分割ＴＭＣＣパケットの分離およびＴＭＣＣパケットの組立てと復号を行い、ＴＭＣＣパケットの復号が正しく行われた後にフレーム同期を強制的に確立させるようにしたものである。
上記構成によれば、電源投入時や選局時等の伝送制御がかからない時間を短縮、フレーム同期を確実な条件で早期に確立し、復調手段による復調処理が早期に安定化しフレーム同期はずれ等の誤動作を防止することができ、またシステムが短時間で安定化し、出力情報信号を映像装置等に送出開始するまでの時間が短くなる。
【００１８】
また、フレーム同期の未確立期間に、ディジタル情報信号パケットと分割ＴＭＣＣパケットを分離し、かつＴＭＣＣパケットの組立てと復号を少なくとも一回以上繰り返し、ＴＭＣＣパケットの復号が正しく行われた後にＴＭＣＣパケットの組立てを完了し、受信ディジタル情報信号に対する伝送制御を開始させるようにしたものである。
上記構成によれば、電源投入時や選局時等の伝送制御がかからない時間を短縮し、復調手段による復調処理が早期に安定化しフレーム同期はずれ等の誤動作を防止することができ、またシステムが短時間で安定化し、出力情報信号を映像装置等に送出開始するまでの時間が短くなる。
【００１９】
また、フレーム同期の未確立期間に、ディジタル情報信号パケットと分割ＴＭＣＣパケットを分離し、かつＴＭＣＣパケットにおける各分割ＴＭＣＣパケットの位置を移動させながらＴＭＣＣパケットの組立てと復号を繰り返し、ＴＭＣＣパケットの復号が正しく行われた後にＴＭＣＣパケットの組立てを完了しフレーム同期を強制的に確立させるようにしたものである。
上記構成によれば、電源投入時や選局時等の伝送制御がかからない時間を短縮、フレーム同期を確実な条件で早期に確立し、復調手段による復調処理が早期に安定化しフレーム同期はずれ等の誤動作を防止することができ、またシステムが短時間で安定化し、出力情報信号を映像装置等に送出開始するまでの時間が短くなる。
【００２０】
また、フレーム同期の未確立期間に、ＴＭＣＣパケットにおける各分割ＴＭＣＣパケットの位置をシフトさせながらＴＭＣＣパケットを組立てるＴＭＣＣ組立て手段において、少なくとも一組以上のＴＭＣＣパケット組立てメモリを有し、各ＴＭＣＣパケット組立てメモリによって各分割ＴＭＣＣパケットの位置が異なる複数のＴＭＣＣパケットを組立てるようにしたものである。
上記構成によれば、ＴＭＣＣパケットを構成する分割ＴＭＣＣの組立て順を変えた全組み合わせのＴＭＣＣパケットを簡単に組立てることが短時間ででき、システムの処理速度を上げることができる。
【００２１】
また、この発明に係るディジタル放送受信端末装置は、電源投入時または選局時等の直後のフレーム同期未確立期間に、受信伝送フレームに多重されたディジタル情報信号パケットと分割ＴＭＣＣパケットを分離し、この分離された分割ＴＭＣＣパケットからＴＭＣＣパケットを組立てるＴＭＣＣ組立て手段と、組立てられたＴＭＣＣパケットを復号するＴＭＣＣ復号手段と、復号したＴＭＣＣパケットデータにより受信ディジタル情報信号パケットの変調方式等の伝送制御を行う伝送制御手段とを備え、フレーム同期が確立した後に受信ディジタル情報信号に対する伝送制御を開始させるようにしたものである。
上記構成によれば、電源投入時または選局時等に、出力情報信号を映像装置等に送出開始するまでの時間が短くなる。
【００２２】
また、電源投入時または選局時等の直後のフレーム同期未確立期間に、受信伝送フレームに多重されたディジタル情報信号パケットと分割ＴＭＣＣパケットを分離し、この分離された分割ＴＭＣＣパケットからＴＭＣＣパケットを組立てるＴＭＣＣ組立て手段と、組立てられたＴＭＣＣパケットを復号するＴＭＣＣ復号手段と、上記復号したＴＭＣＣパケットデータにより受信ディジタル情報信号パケットの変調方式等の伝送制御を行う伝送制御手段とを備え、ＴＭＣＣパケットの組立てと復号を少なくとも一回以上繰り返し、ＴＭＣＣパケットの復号が正しく行われた後にＴＭＣＣパケットの組立てを完了し、受信ディジタル情報信号に対する伝送制御を開始させるようにしたものである。
上記構成によれば、電源投入時または選局時等に、出力情報信号を映像装置等に送出開始するまでの時間が短くなる。
【００２３】
【発明の実施の形態】
以下、この発明をその実施の形態を示す図面に基づいて具体的に説明する。
実施の形態１．
図１はこの発明の実施の形態１であるディジタル放送受信端末装置を示す図である。図において、１はディジタル放送受信端末が受信するディジタル放送の受信信号、２は受信信号１を復調する復調手段、３は復調手段２で復調した復調信号１１からフレーム同期信号を検出してフレーム同期を確立するフレーム同期手段、４は復調信号１１で構成される伝送フレームに多重されている分割ＴＭＣＣパケット１４とディジタル情報信号パケット１３を分離する信号分離手段、５は信号分離手段４で分離された分割ＴＭＣＣパケット１４からＴＭＣＣパケット１５を組立てるＴＭＣＣ組立て手段、６はＴＭＣＣ組立て手段で組立てたＴＭＣＣパケットを復号するＴＭＣＣ復号手段、８は信号分利手段４で分離したディジタル情報信号パケット１３を復号する信号復号手段、９は復号手段８で復号したディジタル情報信号パケットの内ユーザが希望するパケットを選択して出力する信号選択手段、１０は信号選択手段９で選択出力される出力情報信号であり、７はＴＭＣＣ復号手段６で復号されたＴＭＣＣパケットによって復調手段２、フレーム同期手段３、信号復号手段８および信号選択手段９での処理を制御する伝送制御手段、１６は伝送制御手段７から出力される伝送制御信号、１２はフレーム同期手段３から出力されるフレーム同期信号、１７はフレーム同期手段３から出力されるフレーム同期確立信号である。
【００２４】
図２はＴＭＣＣ組立て手段５によって組立てられるＴＭＣＣパケットの一例を示した図である。図において、１４ｄはＴＭＣＣ組立て手段５が最も前に受信した分割ＴＭＣＣパケットであり、１４ｃは１４ｄの次に受信した分割ＴＭＣＣパケット、１４ｂは１４ｃの次に受信した分割ＴＭＣＣパケットであり、１４ａは１４ｂの次に最も新しく受信した分割ＴＭＣＣパケットである。１５ａ、１５ｂ、１５ｃ、および１５ｄはＴＭＣＣ組立て手段５で組立てられたＴＭＣＣパケットである。
【００２５】
次に実施の形態１の動作について説明する。１つの受信周波数内に複数のディジタル情報信号パケットと、各ディジタル情報信号およびその変調方式等の情報を伝送するためのＴＭＣＣパケットを伝送フレームに時分割多重して伝送するディジタル放送方式におけるディジタル放送受信端末が受信する受信信号１は、まず復調手段２で復調される。上記ディジタル放送方式が複数の変調方式を扱う場合、電源投入時または選局時等において復調手段２は特定の復調方式に固定して復調処理を行う。復調手段２が特定の復調方式で復調する信号は、フレーム同期をとるためのフレーム同期信号、伝送制御情報を伝送するためのＴＭＣＣデータ等であり、この復調信号１１をフレーム同期手段３および信号分離手段４に出力する。
【００２６】
フレーム同期手段３は、復調信号１１を受信すると復調信号１１のデータ列の中からユニークワードであるフレーム同期信号１２の検出を行う。フレーム同期信号１２を一定の時間間隔で複数回連続して検出すると、フレーム同期手段３はフレーム同期が確立したとしてフレーム同期確立信号１７を出力する。
【００２７】
信号分離手段４は、復調信号１１およびフレーム同期信号１２を受信するとフレーム同期信号１２の受信タイミングから多重のタイミングを検出し、復調信号１１が構成する伝送フレームに多重されたディジタル情報信号パケット１３と分割ＴＭＣＣパケット１４を分離して出力する。
【００２８】
ＴＭＣＣ組立て手段５は、分割ＴＭＣＣパケット１４とフレーム同期信号１２を受信するとフレーム同期信号１２の受信タイミングから分割ＴＭＣＣパケット受信のタイミングを検出し、分割ＴＭＣＣパケット１４を順次メモリに蓄積することによりＴＭＣＣパケット１５の組立てを行う（図２参照）。ＴＭＣＣパケット１５における先頭の分割ＴＭＣＣ１４パケットは、フレーム同期が確立するとフレーム同期確立信号１７のタイミングにより検出されるが、フレーム同期が未確立の期間にはどの分割ＴＭＣＣパケット１４がＴＭＣＣパケット１５の先頭であるかは不明の状態である。電源投入時または選局時等の直後においてはフレーム同期が未確立であるので、この期間には入力される分割ＴＭＣＣパケット１４を順次メモリに入力してゆき、メモリが溢れた場合は最古の分割ＴＭＣＣパケット１４を破棄して新しい分割ＴＭＣＣパケット１４をメモリに蓄積する。
【００２９】
ＴＭＣＣ組立て手段５は、フレーム同期手段３においてフレーム同期が確立し、フレーム同期確立信号１７がＴＭＣＣ組立て手段５に通知されるとＴＭＣＣパケット１５における先頭の分割ＴＭＣＣパケット１４を検出し、先頭の分割ＴＭＣＣパケット１４から順にメモリに蓄積したデータをＴＭＣＣパケット１５として出力する。
【００３０】
ＴＭＣＣ復号手段６は、ＴＭＣＣパケット１５を受信するとＴＭＣＣパケット１５の復号を行い、ＴＭＣＣデータを伝送制御手段７に出力する。
【００３１】
伝送制御手段７は、ＴＭＣＣデータを受信するとディジタル情報信号パケット１３の復調方式および復号条件等を制御するための伝送制御信号１６を出力する。
【００３２】
復調手段２、信号復号手段８および信号選択手段９は、伝送制御信号１６が通知されるとディジタル情報信号パケット１３の復調方式、復号方式等を制御して出力情報信号１０を復調、復号する。
【００３３】
次に、電源投入時直後のフレーム同期未確立期間からＴＭＣＣによる伝送制御が開始されるまでの処理の内容を、図３のフレーム同期未確立期間にＴＭＣＣデータ組立てを行う実施の形態１のフローチャートに従って説明する。
【００３４】
フレーム同期手段３によってフレーム同期信号１２が検出されると（ｆ０）、信号分離手段４はディジタル情報信号パケット１３と分割ＴＭＣＣパケット１４を分離し（ｆ１）、分離された分割ＴＭＣＣパケット１４を蓄積してＴＭＣＣ組立て手段５がＴＭＣＣパケット１５を組立てる（ｆ２）。フレーム同期手段３によりフレーム同期が確立されフレーム同期確立信号１７が出力されると（ｆ３）、ＴＭＣＣ復号手段６が組立てられたＴＭＣＣパケット１５を復号し（ｆ４）、復号されたＴＭＣＣデータによって伝送制御手段７が伝送制御を開始する（ｆ５）。フレーム同期手段３によるフレーム同期が確立されない期間は、ＴＭＣＣ組立て手段５がＴＭＣＣパケット１５の組立てを続行する。
【００３５】
以上のように、フレーム同期が確立する前にＴＭＣＣパケット１５の組立て、フレーム同期が確立した後にＴＭＣＣパケットの復号を行って伝送制御を開始するので、フレーム同期が確立した後にＴＭＣＣパケット１５を組立てる場合に比較すると、電源投入時や選局時等の伝送制御がかからない時間を短縮することができる。
【００３６】
また、伝送制御が早期にかかることにより、復調手段２による復調処理を早期に安定化させ、フレーム同期はずれ等の誤動作を防止することができる。
【００３７】
実施の形態２．
例えば、従来の技術で述べたＢＳディジタル放送方式においては、伝送フレームはディジタル情報信号パケットであるスロットと、４８個のスロットから構成されるフレームと、８個のフレームから構成されるスーパーフレームと、フレームごとに時分割多重されるＴＭＣＣとによって構成されている。ＴＭＣＣはフレームごとに８バイトずつ多重されており、１スーパーフレームで６４バイトのＴＭＣＣパケットを構成する。
【００３８】
この様なフレームとスーパーフレームの２重フレームによって伝送フレームが構成されている場合では、フレーム同期が確立した後にＴＭＣＣパケット１５の組立てを行い、スーパーフレーム同期が確立した後にＴＭＣＣパケットの復号を行い、伝送制御を開始するようにする。
【００３９】
電源投入時直後のフレーム同期未確立期間からＴＭＣＣによる伝送制御が開始されるまでの処理の内容を、図４のフレーム同期未確立期間にＴＭＣＣデータ組立てを行う実施の形態２のフローチャートに従って説明する。
【００４０】
フレーム同期手段３によってフレーム同期信号１２が検出され（ｆ１０）、フレーム同期が確立されると（ｆ１１）、信号分離手段４はディジタル情報信号パケット１３と分割ＴＭＣＣパケット１４を分離し（ｆ１２）、分離された分割ＴＭＣＣパケット１４を蓄積してＴＭＣＣ組立て手段５がＴＭＣＣパケット１５を組立てる（ｆ１３）。フレーム同期手段３によりスーパーフレーム同期が確立されフレーム同期確立信号１７が出力されると（ｆ１４）、ＴＭＣＣ復号手段６が組立てられたＴＭＣＣパケット１５を復号し（ｆ１５）、復号されたＴＭＣＣデータによって伝送制御手段７が伝送制御を開始する（ｆ１６）。フレーム同期手段３によるフレーム同期が確立されない期間は、ＴＭＣＣ組立て手段５がＴＭＣＣパケット１５の組立てを続行する。
【００４１】
以上のように、スーパーフレーム同期が確立する前にＴＭＣＣパケット１５の組立てを行い、スーパーフレーム同期が確立した後にＴＭＣＣパケットの復号を行って伝送制御を開始するので、スーパーフレーム同期が確立した後にＴＭＣＣパケット１５を組立てる場合に比較すると、電源投入時や選局時等の伝送制御がかからない時間を短縮することができ、出力情報信号を映像装置に送出開始するまでの時間が短くなる。
【００４２】
また、伝送制御が早期にかかることにより、復調手段２による復調処理を早期に安定化させ、フレーム同期はずれ等の誤動作を防止することができる。さらに、ＢＳディジタル方式のような１スーパーフレーム時間が長い方式の場合においては、時間短縮の効果が大きい。
【００４３】
実施の形態３．
上記実施の形態１においては、フレーム同期が確立した後にＴＭＣＣ組立て手段５によって組立てられたＴＭＣＣパケット１５を復号して復号されたＴＭＣＣによって伝送制御を開始したが、この実施の形態３では、ＴＭＣＣ組立て手段５が新しい分割ＴＭＣＣパケット１４を受信するごとに、最新の分割ＴＭＣＣパケット１４のデータをＴＭＣＣパケットの先頭の分割ＴＭＣＣパケットとし、以前に受信した分割ＴＭＣＣパケットをシフトしてＴＭＣＣパケット１５を組立て、このＴＭＣＣパケットをＴＭＣＣ復号手段６によって復号し、復号の正常終了の成否を監視し、復号の正常終了を検出すると伝送制御を開始する。
【００４４】
ＴＭＣＣ復号手段６においてＴＭＣＣパケットの復号が正常に終了することは、組立てられたＴＭＣＣパケットが正常なパケットであったことを意味する。よって、ＴＭＣＣの復号が正常に終了すれば、フレーム同期の確立を待たずにＴＭＣＣパケット１５における先頭の分割ＴＭＣＣパケットを確定してＴＭＣＣパケットの組立てを完了し、伝送制御を開始する。
【００４５】
次に、電源投入時直後のフレーム同期未確立期間からＴＭＣＣによる伝送制御が開始されるまでの処理の内容を、図５のフレーム同期未確立期間にＴＭＣＣデータ組立てを行う実施の形態３のフローチャートに従って説明する。
【００４６】
フレーム同期手段３によってフレーム同期信号１２が検出されると（ｆ２０）、信号分離手段４はディジタル情報信号パケット１３と分割ＴＭＣＣパケット１４を分離し（ｆ２１）、分離された分割ＴＭＣＣパケット１４を蓄積してＴＭＣＣ組立て手段５がＴＭＣＣパケット１５を組立てる（ｆ２２）。組立てたＴＭＣＣパケットをＴＭＣＣ復号手段６によって復号し（ｆ２３）、復号の正常終了の成否を監視する（ｆ２４）。ＴＭＣＣパケットの復号が正常に終了しなかった場合にはＴＭＣＣパケット組立て処理（ｆ２２）に戻り、新しい分割ＴＭＣＣパケット１４の受信を待ってＴＭＣＣパケットの組立てを続行し、ＴＭＣＣパケットの復号が正常終了すると、復号されたＴＭＣＣデータによって伝送制御手段が伝送制御を開始する（ｆ２５）。
【００４７】
以上のように、フレーム同期が確立する前にＴＭＣＣパケット１５の組立てと復号を行い、ＴＭＣＣパケットの復号が正常に終了した後にＴＭＣＣによる伝送制御を開始するので、フレーム同期が確立した後にＴＭＣＣパケット１５を組立てる場合に比較すると電源投入時や選局時等の伝送制御がかからない時間を短縮することができ、出力情報信号を映像装置に送出開始するまでの時間が短くなる。
【００４８】
さらに、実施の形態１に比較しても、フレーム同期信号１２の検出からフレーム同期が確立するまでに時間を要する場合には、より伝送制御までの時間を短縮することができる。
【００４９】
実施の形態４．
上記実施の形態３においては、復号の正常終了を検出すると伝送制御を開始するが、この実施の形態４では、さらにフレーム同期を強制的に確立させる。
【００５０】
ＴＭＣＣ復号手段６においてＴＭＣＣパケットの復号が正常に終了することは、組立てられたＴＭＣＣパケットが正常なパケットであったことを意味する。よって、ＴＭＣＣパケットの復号が正常に終了すれば、フレーム同期の確立を待たずにＴＭＣＣパケット１５における先頭の分割ＴＭＣＣパケットを確定でき、さらにフレームの同期タイミングも確定して、フレーム同期を確立させる。
【００５１】
次に、電源投入時直後のフレーム同期未確立期間からＴＭＣＣによる伝送制御が開始されるまでの処理の内容を、図６のフレーム同期未確立期間にＴＭＣＣデータ組立てを行う実施の形態４のフローチャートに従って説明する。
【００５２】
フレーム同期手段３によってフレーム同期信号１２が検出されると（ｆ３０）、信号分離手段４はディジタル情報信号パケット１３と分割ＴＭＣＣパケット１４を分離し（ｆ３１）、分離された分割ＴＭＣＣパケット１４を蓄積してＴＭＣＣ組立て手段５がＴＭＣＣパケット１５を組立てる（ｆ３２）。組立てたＴＭＣＣパケットをＴＭＣＣ復号手段６によって復号し（ｆ３３）、復号の正常終了の成否を監視する（ｆ３４）。ＴＭＣＣパケットの復号が正常に終了しなかった場合にはＴＭＣＣパケット組立て処理（ｆ３２）に戻り、新しい分割ＴＭＣＣパケット１４の受信を待ってＴＭＣＣパケットの組立てを続行する。一方、ＴＭＣＣパケットの復号が正常終了すると、フレーム同期のタイミングを確定してフレーム同期を確立させ（ｆ３５）、復号されたＴＭＣＣデータによって伝送制御手段が伝送制御を開始する（ｆ３６）。
【００５３】
以上のように、フレーム同期が確立する前にＴＭＣＣパケット１５の組立てと復号を行い、ＴＭＣＣパケットの復号が正常に終了した後にフレーム同期の確立を行い、ＴＭＣＣによる伝送制御を開始するので、フレーム同期が確立した後にＴＭＣＣパケット１５を組立てる場合に比較すると、電源投入時や選局時等の伝送制御がかからない時間を短縮することができ、出力情報信号を映像装置に送出開始するまでの時間が短くなる。
【００５４】
さらに、ＴＭＣＣパケットの復号が正常終了することは、フレーム同期信号１２を検出して行うフレーム同期確立により確実な同期条件を与えることになるので、実際にはフレーム同期位置でないところでの誤フレーム同期確立の可能性を抑えることができる。
【００５５】
実施の形態５．
上記実施の形態３においては、ＴＭＣＣ組立て手段５が新しい分割ＴＭＣＣパケット１４を受信するごとに、最新の分割ＴＭＣＣパケット１４のデータをＴＭＣＣパケットの先頭の分割ＴＭＣＣパケットとし以前に受信した分割ＴＭＣＣパケットをシフトしてＴＭＣＣパケット１５を組立てて復号するが、この実施の形態５では、新しい分割ＴＭＣＣパケット１４を受信すると、その受信分割ＴＭＣＣパケットのＴＭＣＣパケットにおける位置を先頭から最後まで順にシフトさせ、それに伴い以前に受信した分割ＴＭＣＣパケットを順にシフトさせた複数のＴＭＣＣパケットを組立て、組立てた複数のＴＭＣＣパケットをそれぞれ復号する。
【００５６】
ＴＭＣＣ組立て手段５が分割ＴＭＣＣパケットをシフトさせて組立てるＴＭＣＣパケット１５の例を、簡単のためＴＭＣＣパケットが４個の分割ＴＭＣＣパケットによって構成される場合について、図２のＴＭＣＣパケットにおける分割ＴＭＣＣパケットの位置をシフトさせて組立てる複数のＴＭＣＣパケットの例に従って説明する。
【００５７】
１５ａは、新しく受信した分割ＴＭＣＣパケット１４ａをＴＭＣＣパケットの先頭に配置したＴＭＣＣパケットであり、この新しく受信した分割ＴＭＣＣパケット１４ａを後方にシフトし、最も以前に受信した分割ＴＭＣＣパケット１４ｄをＴＭＣＣパケットの先頭の位置に配して組立てられたのがＴＭＣＣパケット１５ｂである。同様に、シフトを繰り返してＴＭＣＣパケット１５ｃ、ＴＭＣＣパケット１５ｄを組立て、それぞれのＴＭＣＣパケットをＴＭＣＣ復号手段６に送信する。
【００５８】
次に、電源投入時直後のフレーム同期未確立期間からＴＭＣＣによる伝送制御が開始されるまでの処理の内容を、図７のフレーム同期未確立期間にＴＭＣＣデータ組立てを行う実施の形態５のフローチャートに従って説明する。
【００５９】
フレーム同期手段３によってフレーム同期信号１２が検出されると（ｆ５０）、信号分離手段４はディジタル情報信号パケット１３と分割ＴＭＣＣパケット１４を分離し（ｆ５１）、分離された分割ＴＭＣＣパケット１４を蓄積してＴＭＣＣ組立て手段５がＴＭＣＣパケット１５を組立てる（ｆ５２）。組立てたＴＭＣＣパケットをＴＭＣＣ復号手段６によって復号し（ｆ５３）、復号の正常終了の成否を監視する（ｆ５４）。ＴＭＣＣパケットの復号が正常に終了しなかった場合には、ＴＭＣＣパケット１５内の分割ＴＭＣＣパケット１４の位置を１分割ＴＭＣＣパケット分シフトし（ｆ５６）、ＴＭＣＣパケット１５の最後の位置にあった分割ＴＭＣＣパケットを先頭に移動させたＴＭＣＣパケット１５を組立てる（ｆ５７）。このＴＭＣＣパケット１５を復号し（ｆ５３）、復号の正常終了の成否を監視する処理を繰り返す（ｆ５４）。ＴＭＣＣパケット１５を構成する全分割ＴＭＣＣ数回のシフトを行っても、ＴＭＣＣパケットの復号が正常終了しなかった場合はＴＭＣＣパケット組立て処理（ｆ５２）に戻り、新しい分割ＴＭＣＣパケット１４の受信を待ってＴＭＣＣパケットの組立てを続行する。一方、ＴＭＣＣパケットの復号が正常終了すると、復号されたＴＭＣＣデータによって伝送制御手段７が伝送制御を開始する（ｆ５５）。
【００６０】
ＴＭＣＣ情報は、伝送中は常に変動する情報ではなく、ほとんどの場合、複数のフレームにわたって同じ内容であることが考えられる。このため、電源投入時等に最初に受信した分割ＴＭＣＣパケット１４ａがＴＭＣＣパケット１５における最初の分割ＴＭＣＣパケットでなく、かつＴＭＣＣパケット１５の内容が数フレームにわたって同じ内容であった場合、ＴＭＣＣパケット１５を構成する全ての分割ＴＭＣＣパケットが受信終了しても、分割ＴＭＣＣパケットの組み合わせ順が異なるために正しいＴＭＣＣパケットが構成できず、さらに数分割ＴＭＣＣパケットを継続して受信した後でなければ、組立てが完了しないという状態が発生する。
【００６１】
ＴＭＣＣパケットにおける受信分割ＴＭＣＣパケットの組み合わせ順を変えてＴＭＣＣパケットを組立てることにより、ＴＭＣＣパケット１５を構成する全ての分割ＴＭＣＣパケットが受信終了した後に正しいＴＭＣＣパケットを組立てることが可能になり、新しく受信した分割ＴＭＣＣパケット１４が常にＴＭＣＣパケット１５の先頭に配置される実施の形態３に比較して、正常なＴＭＣＣパケットが組立てられるまでの時間および伝送制御が開始されるまでの時間をさらに短縮することができる。
【００６２】
実施の形態６．
上記実施の形態５においては、復号の正常終了を検出すると伝送制御を開始するが、この実施の形態６では、さらにフレーム同期を強制的に確立させる。
【００６３】
ＴＭＣＣ復号手段６においてＴＭＣＣパケットの復号が正常に終了することは、組立てられたＴＭＣＣパケットが正常なパケットであったことを意味する。よって、ＴＭＣＣパケットの復号が正常に終了すれば、フレーム同期の確立を待たずにＴＭＣＣパケット１５における先頭の分割ＴＭＣＣパケットを確定することができ、さらにフレームの同期タイミングも確定して、フレーム同期を確立させる。
【００６４】
次に、電源投入時直後のフレーム同期未確立期間からＴＭＣＣによる伝送制御が開始されるまでの処理の内容を、図８のフレーム同期未確立期間にＴＭＣＣデータ組立てを行う実施の形態５のフローチャートに従って説明する。
【００６５】
フレーム同期手段３によってフレーム同期信号１２が検出されると（ｆ６０）、信号分離手段４はディジタル情報信号パケット１３と分割ＴＭＣＣパケット１４を分離し（ｆ６１）、分離された分割ＴＭＣＣパケット１４を蓄積してＴＭＣＣ組立て手段５がＴＭＣＣパケット１５を組立てる（ｆ６２）。組立てたＴＭＣＣパケットをＴＭＣＣ復号手段６によって復号し（ｆ６３）、復号の正常終了の成否を監視する（ｆ６４）。ＴＭＣＣパケットの復号が正常に終了しなかった場合には、ＴＭＣＣパケット１５内の分割ＴＭＣＣパケット１４の位置を１分割ＴＭＣＣパケット分シフトし（ｆ６７）、ＴＭＣＣパケット１５の最後の位置にあった分割ＴＭＣＣパケットを先頭に移動させたＴＭＣＣパケット１５を組立てる（ｆ６７）。このＴＭＣＣパケット１５を復号し（ｆ６３）、復号の正常終了の成否を監視する処理を繰り返す（ｆ６４）。ＴＭＣＣパケット１５を構成する全分割ＴＭＣＣ数回のシフトを行っても、ＴＭＣＣパケットの復号が正常終了しなかった場合は、ＴＭＣＣパケット組立て処理（ｆ６２）に戻り、新しい分割ＴＭＣＣパケット１４の受信を待ってＴＭＣＣパケットの組立てを続行し、ＴＭＣＣパケットの復号が正常終了すると、フレーム同期のタイミングを確定してフレーム同期を確立させ（ｆ６５）、復号されたＴＭＣＣデータによって伝送制御手段７が伝送制御を開始する（ｆ６６）。
【００６６】
ＴＭＣＣパケットにおける受信分割ＴＭＣＣパケットの組み合わせ順を変えてＴＭＣＣパケットを組立てることにより、ＴＭＣＣパケット１５を構成する全ての分割ＴＭＣＣパケットが受信終了した後に正しいＴＭＣＣパケットを組立てることが可能になり、新しく受信した分割ＴＭＣＣパケット１４が常にＴＭＣＣパケット１５の先頭に配置される実施の形態４に比較して、正常なＴＭＣＣパケットが組立てられるまでの時間およびフレーム同期が確立するまでの時間、伝送制御が開始されるまでの時間をさらに短縮することができる。
【００６７】
実施の形態７．
上記実施の形態１では、電源投入時または選局時等のフレーム同期未確立時においてＴＭＣＣパケットの組立ておよび復号を行うことで、伝送制御が開始されるまでの時間を短縮するようにしたものであるが、次に実施の形態６におけるＴＭＣＣ組立て手段５に構成されるＴＭＣＣ組立てメモリの実施形態を示す。
【００６８】
図９は、ＴＭＣＣ組立て手段５に構成されるメモリ構成の一例の図である。同図において２０〜２３はＴＭＣＣ組立てメモリである。また、図１０〜図１３は、ＴＭＣＣ組立てメモリ２０〜２３に分割ＴＭＣＣパケット１４が蓄積されてＴＭＣＣパケット１５が組立てられる様子を示した図である。
【００６９】
次に、動作について説明する。ＴＭＣＣ組立て手段５はＴＭＣＣパケット１５を構成する分割ＴＭＣＣ１４の全数と同数組のＴＭＣＣ組立てメモリを持ち、受信した分割ＴＭＣＣパケット１４をそれぞれのＴＭＣＣ組立てメモリに蓄積する。図１０〜図１３には、例としてＴＭＣＣパケットが４個の分割ＴＭＣＣパケットで構成される場合について示している。この場合、ＴＭＣＣ組立て手段５は４組のＴＭＣＣ組立てメモリ２０〜２３を持つ。
【００７０】
ＴＭＣＣ組立て手段５が受信した分割ＴＭＣＣパケット１４を４組のＴＭＣＣ組立てメモリ２０〜２３に、各メモリの書き込みアドレスポインタを１つずつずらして蓄積する。図１１は最初に受信したＮＯ．１の分割ＴＭＣＣパケット１４を各ＴＭＣＣ組立てメモリ２０〜２３に蓄積した様子を示しており、蓄積された分割ＴＭＣＣパケット１４のアドレスポインタの位置は各メモリで全て異なる。
【００７１】
次にＴＭＣＣ組立て手段が受信するＮＯ．２の分割ＴＭＣＣパケットは、最初に受信したＴＭＣＣ分割ＴＭＣＣパケットの次のアドレスに蓄積する。この様子を図１２に示す。
【００７２】
さらに、ＴＭＣＣ組立て手段５が受信する分割ＴＭＣＣパケット１４を順に各ＴＭＣＣ組立てメモリ２０〜２３に蓄積していく。図１３はＴＭＣＣパケット１５を構成する４個の分割ＴＭＣＣパケット１４が全て蓄積された様子を示す。
ＴＭＣＣ組立てメモリ２０〜２３に蓄積したデータを同じアドレスポインタから読み出して、４個のＴＭＣＣパケットを組立てる。
【００７３】
さらに、各ＴＭＣＣ組立てメモリ２０〜２３に全ての分割ＴＭＣＣパケットが蓄積された後に次の分割ＴＭＣＣパケット１４を受信した場合には、各ＴＭＣＣ組立てメモリに、最前に書き込まれたＮＯ．１のアドレスポインタに戻って、そのアドレスポインタに新しく受信した分割ＴＭＣＣパケット１４を蓄積し、以後、同じ動作を繰り返す。
【００７４】
以上のように、ＴＭＣＣ組立てメモリ２０〜２３に異なるアドレスポインタで書き込んだ分割ＴＭＣＣパケット１４を同じアドレスポインタから読み出しているので、ＴＭＣＣパケット１５を構成する分割ＴＭＣＣ１４の組立て順を変えた全組み合わせのＴＭＣＣパケットを簡単に組立てることができる。
【００７５】
また、それぞれの組立てメモリ２０〜２３のデータを同時に出力して送信すれば、１組のＴＭＣＣパケット１５を組立てて送信する場合と同じ時間で、複数のＴＭＣＣパケット１５を組立てて送信することができる。
【００７６】
実施の形態８．
実施の形態３では、ＴＭＣＣ組立て手段５に複数組のＴＭＣＣ組立てメモリ２０〜２３を構成してＴＭＣＣパケット１５を組立てたが、この実施の形態８では、一組の組立てメモリ２０のみで、複数のＴＭＣＣパケット１５を組立てる。
【００７７】
図１４は、ＴＭＣＣ組立て手段５に構成されるメモリ構成の一例の図である。図１５および図１６は、図１４に構成されるＴＭＣＣ組立てメモリ２０に分割ＴＭＣＣパケット１４が蓄積されてＴＭＣＣパケット１５が組立てられる様子を示した図である。
【００７８】
次に、動作について説明する。図１４〜図１６には、例としてＴＭＣＣパケットが４個の分割ＴＭＣＣパケットで構成される場合について示した。ＴＭＣＣ組立て手段５は、一組のＴＭＣＣ組立てメモリ２０を持ち、このＴＭＣＣ組立てメモり２０に受信した分割ＴＭＣＣパケット１４を順に蓄積する。
【００７９】
ＴＭＣＣパケット１５を構成する４個の分割ＴＭＣＣパケットをＴＭＣＣ組立てメモリ２０に蓄積すると、あるアドレスポインタからＴＭＣＣ組立てメモリ２０に蓄積されたデータを読み出して、ＴＭＣＣパケット１５を組立てる。この様子を図１５に示す。
【００８０】
次に、読み出し開始のアドレスポインタを変えてＴＭＣＣ組立てメモリ２０から蓄積されたデータを読み出し、ＴＭＣＣパケット１５を組立てる。この様子を図１６に示す。
【００８１】
以上のように、ＴＭＣＣ組立てメモり２０の読み出し開始のアドレスポインタを変更することにより、ＴＭＣＣパケット１５を構成する分割ＴＭＣＣパケット１４の組立て順を変えたＴＭＣＣパケットを容易に組立てることができ、少ないメモリでＴＭＣＣパケットの組立てることができる。
【００８２】
【発明の効果】
この発明は、以上説明したように構成されているので、以下のような効果を奏する。
【００８３】
この発明に係るディジタル放送受信方法は、フレーム同期が確立する前にＴＭＣＣパケット１５の組立て、フレーム同期が確立した後にＴＭＣＣパケットの復号を行って伝送制御を開始するので、電源投入時や選局時等の伝送制御がかからない時間を短縮することができ、復調手段による復調処理を早期に安定化させ、フレーム同期はずれ等の誤動作を防止することができ、またシステムが短時間で安定化し、出力情報信号を映像装置等に送出開始するまでの時間が短くなるという効果がある。
【００８４】
また、この発明に係るディジタル放送受信端末装置は、フレーム同期の未確立期間に、ＴＭＣＣパケットにおける各分割ＴＭＣＣパケットの位置をシフトさせながらＴＭＣＣパケットを組立てるＴＭＣＣ組立て手段において、１組のＴＭＣＣパケット組立てメモリを有し、このＴＭＣＣパケット組立てメモリに蓄積されたデータから、各分割ＴＭＣＣパケットの位置をシフトさせたＴＭＣＣパケットを複数パケット組立てるようにしたものであるから、電源投入時または選局時等に、出力情報信号を映像装置等に送出開始するまでの時間が短くなるという効果がある。
【図面の簡単な説明】
【図１】  この発明の実施の形態１であるディジタル放送受信端末装置を示すブロック図である。
【図２】  この発明の実施の形態１および３におけるＴＭＣＣ組立て手段によって組立てられるＴＭＣＣパケットの一例を示した図である。
【図３】  実施の形態１におけるフレーム同期未確立期間にＴＭＣＣデータ組立てを行う動作を示すフローチャートである。
【図４】  この発明の実施の形態２におけるフレーム同期未確立期間にＴＭＣＣデータ組立てを行う動作を示すフローチャートである。
【図５】  この発明の実施の形態３におけるフレーム同期未確立期間にＴＭＣＣデータ組立てを行う動作を示すフローチャートである。
【図６】  この発明の実施の形態４におけるフレーム同期未確立期間にＴＭＣＣデータ組立てを行う動作を示すフローチャートである。
【図７】  この発明の実施の形態５におけるフレーム同期未確立期間にＴＭＣＣデータ組立てを行う動作を示すフローチャートである。
【図８】  この発明の実施の形態６におけるフレーム同期未確立期間にＴＭＣＣデータ組立てを行う動作を示すフローチャートである。
【図９】  この発明の実施の形態７のＴＭＣＣ組立てメモリの構成の一例を示した図である。
【図１０】  実施の形態７のＴＭＣＣ組立てメモリに蓄積される分割ＴＭＣＣパケットの一例を示した図である。
【図１１】  実施の形態７のＴＭＣＣ組立てメモリに蓄積される分割ＴＭＣＣパケットの一例を示した図である。
【図１２】  実施の形態７のＴＭＣＣ組立てメモリに蓄積される分割ＴＭＣＣパケットの一例を示した図である。
【図１３】  実施の形態７のＴＭＣＣ組立てメモリに蓄積される分割ＴＭＣＣパケットの一例を示した図である。
【図１４】  この発明の実施の形態８のＴＭＣＣ組立てメモリの構成の一例を示した図である。
【図１５】  実施の形態８のＴＭＣＣ組立てメモリに蓄積される分割ＴＭＣＣパケットの一例を示した図である。
【図１６】  実施の形態８のＴＭＣＣ組立てメモリに蓄積される分割ＴＭＣＣパケットの一例を示した図である。
【図１７】  従来のＢＳディジタル放送におけるフレーム信号処理の構成を示す図である。
【図１８】  従来のＢＳディジタル放送の受信端末装置における電源投入時からＴＭＣＣ情報を復号するまでのフローチャートである。
【符号の説明】
１  受信データ、２  復調手段、３  フレーム同期手段、４  信号分離手段、５  ＴＭＣＣ組立て手段、６  ＴＭＣＣ復号手段、７  伝送制御手段、８  信号復号手段、９  信号選択手段、１０  出力情報信号、１１  復調信号、１２  フレーム同期信号、１３  ディジタル情報信号パケット、１４，１４ａ〜１４ｄ  分割ＴＭＣＣパケット、１５，１５ａ〜１５ｄ  ＴＭＣＣパケット、１６  伝送制御信号、１７  フレーム同期確立信号、２０〜２３  ＴＭＣＣ組立てメモリ。
【図１】
0003800886.tif 000002
【図２】
0003800886.tif 000003
【図３】
0003800886.tif 000004
【図４】
0003800886.tif 000005
【図５】
0003800886.tif 000006
【図６】
0003800886.tif 000007
【図７】
0003800886.tif 000008
【図８】
0003800886.tif 000009
【図９】
0003800886.tif 000010
【図１０】
0003800886.tif 000011
【図１１】
0003800886.tif 000012
【図１２】
0003800886.tif 000013
【図１３】
0003800886.tif 000014
【図１４】
0003800886.tif 000015
【図１５】
0003800886.tif 000016
【図１６】
0003800886.tif 000017
【図１７】
0003800886.tif 000018
【図１８】
0003800886.tif 000019